(57)【要約】      （修正有）【課題】保温容器、防湿容器、緩衝保存容器、電子媒体保存容器などを収納する又は保温容器、防湿容器、緩衝保存容器、電子媒体保存容器などに収納される、断熱効果が高く電磁波遮断する遮熱手段を得る。【解決手段】遮熱手段は、両面の高純度アルミ箔に３枚のポリエチレンシートと２枚のバブルポリエチレンシートとを交互に挟んだ７層の各シート間がプラズマ溶着されたシート材からなり、容器収納部と蓋部を有し、容器収納部は、底面部と側壁部からなり、開口部を備え、前記シート材が、容器収納部が収納する容器の形状に合わせて切断されアルミ絶縁テープにより接合されて形成され、蓋部は、周縁部の一部が容器収納部の開口部の周縁部に折曲可能に接続され、容器収納部との接続部以外の周縁部は、容器収納部の開口部の周縁部と部分的に重なり合う折曲可能な重合部を備える。【選択図】図１
0003204450.tif 000002
【実用新案登録請求の範囲】
【請求項１】
保温容器、防湿容器、緩衝保存容器、電子媒体保存容器を収納する遮熱手段において、
前記遮熱手段は、両面の高純度アルミ箔に３枚のポリエチレンシートと２枚のバブルポリエチレンシートとを交互に挟んだ７層からなり各シート間がプラズマ溶着されたシート材からなり、
前記遮熱手段は、容器収納部と蓋部からなり、
前記容器収納部は、底面部と側壁部からなり、開口部を備え、前記シート材が、前記容器収納部が収納する容器の形状に合わせて切断されアルミ絶縁テープにより接合されて形成され、
前記蓋部は、周縁部の一部が前記容器収納部の開口部の周縁部に折曲可能に接続され、
前記蓋部の前記容器収納部との接続部以外の周縁部は、前記容器収納部の開口部の周縁部と部分的に重なり合うように設けられた折曲可能な重合部を備えていることを特徴とする遮熱手段。
【請求項２】
保温容器、防湿容器、緩衝保存容器、電子媒体保存容器などの内側に収納される遮熱手段において、
前記遮熱手段は、両面の高純度アルミ箔に３枚のポリエチレンシートと２枚のバブルポリエチレンシートとを交互に挟んだ７層からなり各シート間がプラズマ溶着されたシート材からなり、
前記遮熱手段は、保存物収納部と蓋部からなり、開口部を備え、
前記保存物収納部は、底面部と側壁部からなり、前記シート材が、前記保存物収納部が収納される容器の形状に合わせて切断されアルミ絶縁テープにより接合されて形成され、
前記蓋部は、周縁部の一部が前記保存物収納部の開口部の周縁部に折曲可能に接続され、
前記蓋部の前記保存物収納部との接続部以外の周縁部は、前記保存物収納部の開口部の周縁部と部分的に重なり合うように設けられた折曲可能な重合部を備え、
前記遮熱手段の底部、側壁部及び蓋部の外側に、前記遮熱手段と前記遮熱手段が収納される容器の内側壁との間に、空気の対流空間を設けるための突出部とを備えていることを特徴とする遮熱手段。
【請求項３】
請求項２に記載の遮熱手段において、
対流空間のための遮熱手段と容器側壁との間隙が５ｍｍ〜１５ｍｍであることを特徴とする遮熱手段。
【請求項４】
筐体状、筒状又は袋状の遮熱容器において、
前記遮熱容器は、容器表面部材と、両面の高純度アルミ箔に３枚のポリエチレンシートと２枚のバブルポリエチレンシートとを交互に挟んだ７層からなり各シート間がプラズマ溶着されているシート体からなる遮熱層を備え、
前記容器表面部材と前記遮熱層との間に、空気の対流空間を備えるように形成されていることを特徴とする遮熱容器。
【請求項５】
請求項４に記載の遮熱容器において、
前記容器表面部材と前記遮熱層との間の対流空間のための、前記容器表面部材と前記遮熱層との間隙が５ｍｍ〜１５ｍｍであることを特徴とする遮熱容器。
【考案の詳細な説明】
【技術分野】
【０００１】
本考案は、保温容器、防湿容器、緩衝保存容器、電子媒体保存容器などを収納する又は保温容器、防湿容器、緩衝保存容器、電子媒体保存容器などに収納される遮熱手段及び遮熱容器に関する。
【背景技術】
【０００２】
従来、熱の変化により変質しやすい物質を、保管や運搬などを行う際には、熱伝導率の低い素材による容器を用いていたが、十分な保温性と耐久性を兼ね備えるとはいえないという問題があった。
【０００３】
そこで、このような問題を解決するために、温度に敏感な製品と冷却剤とを予め定められた関係に保持して、長期間、冷却または冷凍状態を維持するための輸送コンテナであって、 基部、４つの壁および上部を有するコンテナを備え、上記基部は、温度に敏感な製品を支持することが可能であり、 また、上記コンテナ内の上記製品上に配置されることが可能であると共に、冷却パッケージを受けるための取り外し可能な冷却トレイを備えることを特徴とする輸送コンテナが知られている（特許文献１）。
【先行技術文献】
【特許文献】
【０００４】
【特許文献１】特開２００７−５２３８０３
【考案の概要】
【考案が解決しようとする課題】
【０００５】
しかし、上述した従来の保温運搬容器では、保冷材などの効き目は一定の時間が経過するとなくなってしまう上に、容器の内側と外側の熱伝導率の低さだけを考慮していたので、電磁波が容器を透過し、内容物に作用した結果として、内容物の温度が上がって変質してしまう事態には対応することができなかった。
【０００６】
本考案はこのような事情に鑑みてなされたものであり、例えば防湿など容器本来の目的を果たしている容器を、電磁波をも遮断する遮熱手段によって収納する、又は容器内部に電磁波をも遮断する遮熱手段を収納することにより、様々な容器に、電磁波による温度上昇による内容物の変質を防ぐ効果を与えることができる遮熱手段を得ることを目的とする。
【課題を解決するための手段】
【０００７】
このような目的に応えるために本考案（請求項１記載の考案）に係る遮熱手段は、保温容器、防湿容器、緩衝保存容器、電子媒体保存容器を収納する遮熱手段において、前記遮熱手段は、両面の高純度アルミ箔に３枚のポリエチレンシートと２枚のバブルポリエチレンシートとを交互に挟んだ７層からなり各シート間がプラズマ溶着されたシート材からなり、前記遮熱手段は、容器収納部と蓋部からなり、前記容器収納部は、底面部と側壁部からなり、開口部を備え、前記シート材が、前記容器収納部が収納する容器の形状に合わせて切断されアルミ絶縁テープにより接合されて形成され、前記蓋部は、周縁部の一部が前記容器収納部の開口部の周縁部に折曲可能に接続され、前記蓋部の前記容器収納部との接続部以外の周縁部は、前記容器収納部の開口部の周縁部と部分的に重なり合うように設けられた折曲可能な重合部を備えていることを特徴とする。
【０００８】
このように構成することにより、前記遮熱手段は、熱伝導率が低いことによる高い断熱効果が得られるだけでなく、熱が電磁波として運ばれる熱輻射も極めて低いため、高い遮熱効果を得ることができるという利点がある。
シート材は、外部の気温の高低による劣化や、結露が起こりにくいので、長期間にわたる保温貯蔵に耐えることができる。
【０００９】
さらに、蓋部の周縁に容器収納部の開口部の周縁部と部分的に重なり合うような重合部を設けることにより、蓋部と容器収納部の開口部との間の隙間から熱や電磁波が通過することを効果的に防止することができる。
【００１０】
本考案（請求項２記載の考案）に係る遮熱手段は、保温容器、防湿容器、緩衝保存容器、電子媒体保存容器などの内側に収納される遮熱手段において、前記遮熱手段は、両面の高純度アルミ箔に３枚のポリエチレンシートと２枚のバブルポリエチレンシートとを交互に挟んだ７層からなり各シート間がプラズマ溶着されたシート材からなり、前記遮熱手段は、保存物収納部と蓋部からなり、開口部を備え、前記保存物収納部は、底面部と側壁部からなり、前記シート材が、前記保存物収納部が収納される容器の形状に合わせて切断されアルミ絶縁テープにより接合されて形成され、前記蓋部は、周縁部の一部が前記保存物収納部の開口部の周縁部に折曲可能に接続され、前記蓋部の前記保存物収納部との接続部以外の周縁部は、前記保存物収納部の開口部の周縁部と部分的に重なり合うように設けられた折曲可能な重合部を備え、前記遮熱手段の底部、側壁部及び蓋部の外側に、前記遮熱手段と前記遮熱手段が収納される容器の内側壁との間に、空気の対流空間を設けるための突出部とを備えていることを特徴とする。
【００１１】
このように構成することにより、前記遮熱手段自体の断熱効果や遮熱効果に加え、前記遮熱手段を収納する容器が外部の熱や電磁波で加熱されたような場合であっても、前記対流空間を設けることで、前記遮熱手段に熱が直接伝わるのを防ぎ、断熱効果、遮熱効果を高めることができるという利点がある。
【００１２】
本考案（請求項３記載の考案）に係る遮熱手段は、  請求項２に記載の遮熱手段において、対流空間のための遮熱手段と容器側壁との間隙が５ｍｍ〜１５ｍｍであることを特徴とする。
【００１３】
このように構成することにより、前記遮熱手段を収納する容器から前記遮熱手段への熱伝導を防止することができ、かつ、あまり無駄なスペースを取らずに十分断熱効果、遮熱効果を得ることができるという利点がある。
【００１４】
本考案（請求項４記載の考案）に係る遮熱容器は、  容器表面部材と、両面の高純度アルミ箔に３枚のポリエチレンシートと２枚のバブルポリエチレンシートとを交互に挟んだ７層からなり各シート間がプラズマ溶着されているシート体からなる遮熱層を備え、前記容器表面部材と前記遮熱層との間に、空気の対流空間を備えるように形成されていることを特徴とする。
【００１５】
このように構成することにより、遮熱層による断熱効果、遮熱効果が得られる上に、容器の表面部材が加熱された場合でも、前記遮熱容器内部に熱が伝導されにくく、高い断熱効果、遮熱効果が得られるという利点がある。
【００１６】
本考案（請求項５記載の考案）に係る遮熱容器は、  請求項４に記載の遮熱容器において、前記容器表面部材と前記遮熱層との間の対流空間のための、前記容器表面部材と前記遮熱層との間隙が５ｍｍ〜１５ｍｍであることを特徴とする。
【００１７】
このように構成することにより、前記容器表面部材から前記遮熱容器内部への熱伝導を防止することができ、かつ、あまり無駄なスペースを取らずに十分断熱効果、遮熱効果を得ることができるという利点がある。
【００１８】
前記シート材は４ｍｍ以上の厚さとなるが、その断熱効果は、８ｍｍの厚さの場合に、発泡ポリスチレン系断熱材７５mm相当の断熱効果がある。したがって、前記シート材による遮熱手段や遮熱容器は、コンパクトなサイズで製造することができる。
【００１９】
また、前記シート材の熱損失及び熱取得を制御する両外面の熱輻射値は、０．０３と極めて低いので、外部から熱が電磁波として透過する率が極めて低い。
【００２０】
そして、前記シート材は、全体の層をプラズマ溶着しているので、剥離したり、破れたりすることも、酸化したり、分解したりすることもなく、耐熱性が高く、−５０℃〜８０℃と広範な温度領域で使用可能であり、強い引張り強度を有し、水分の吸収がなく夏冬の重量の変化がないため結露も生じないので、長期間にわたる耐久性を備えている。
【００２１】
さらに、前記シート材は、カッターやハサミでも簡単に切断できるので、使用態様に応じて適切な形状やサイズに調整することが容易である。切断面の接合にアルミ絶縁テープを使用することで、遮熱性能も耐久性も維持される。
【考案の効果】
【００２２】
以上説明したように本考案に係る遮熱手段及び遮熱容器によれば、耐久性が高くコンパクトなサイズで、内部の温度の変化が極めて小さく、保存物の品質を長期間維持することができる。
【００２３】
特に、本考案によれば、電磁波の遮断率が極めて高いので、通常の断熱手段のように電磁波の熱輻射により保存物の温度が上がることを高い効率で防止することができるという利点がある。例えば従来断熱素材として使用されていたアルミ蒸着シートが隙間なく蒸着されていないために多数存在するミクロボイドによって電磁波を十分に遮断することができないのに対して、各シート間がプラズマ溶着されたシート材は電磁波の遮断率が極めて高く、単に容器内外の温度差の影響を受けないだけでなく、熱輻射の影響も受けにくいという利点がある。
【００２４】
さらに、本考案によれば、電磁波を遮断することで、電波による通信機能を備える電子機器への外部からの接続や悪意のある侵入も防ぐことも可能であることから、単に遮熱保管のみならず、セキュリティーなどにも副次的な効果がり、会議やコンサートなどに電子機器を携帯する際に電波を遮断して安心して臨むこともできるという利点がある。
【図面の簡単な説明】
【００２５】
【図１】本考案に係る遮熱手段の一実施形態を示し、遮熱手段１の蓋を空けた状態の全体の斜視図である。
【図２】図１の遮熱手段１の、蓋を閉じた状態の全体の斜視図である。
【図３】遮熱手段１の蓋部１０の重合部と、容器収納部の開口部周縁部とに、面ファスナーを備えた状態の全体の斜視図である。
【図４】本考案に係る遮熱手段の他の実施形態を示し、遮熱手段２の蓋を閉じた状態の全体の斜視図である。
【図５】本考案に係る遮熱容器の一実施形態を示し、遮熱容器３の蓋を空けた状態の全体の斜視図である。
【図６】図５の円で囲んだ部分の拡大断面図である。
【考案を実施するための形態】
【実施例１】
【００２６】
図１ないし図３は本考案に係る遮熱手段の一実施形態を示すものであり、これらの図において、全体記号１で示すのは本考案を特徴づける遮熱手段である。
【００２７】
図１においてこれを簡単に説明すると、符号１は、防湿容器、緩衝保存容器、電子媒体保存容器などを収納するための遮熱手段であり、蓋部１０と底部を備える容器収納部１２と、蓋部１０から張り出し容器収納部１２の開口部の周縁部と部分的に重なり合うように設けられた折曲可能な重合部１１とによって構成されている。
【００２８】
前記容器収納部１２は筐体上であり、方形の開口部と底部を結ぶ辺となる部分は、絶縁アルミテープ１３によって接合されており、接合部で遮熱効果が低下することを防いでいる。
【００２９】
図２は前記遮熱手段１の、蓋部を閉じた状態の斜視図であり、前記重合部１１により、蓋部１０と容器収納部１２の開口部の間に隙間がなくなり、遮熱効果が下がることのないように構成されていることを示す。
【００３０】
図３は、前記重合部１１と、前記容器収納部１２の開口部の周縁部に面ファスナーを備えた状態を示す。これにより、風や振動などで蓋部１０が開いてしまい、遮熱効果が低下することを防ぐことができる。
【実施例２】
【００３１】
図４は、本考案に係る遮熱手段の一実施形態を示すものであり、この図において、全体記号２で示すのは本考案を特徴づける遮熱手段である。
【００３２】
図４においてこれを簡単に説明すると、符号２は、防湿容器、緩衝保存容器、電子媒体保存容器などに収納されて遮熱効果を高めるための遮熱手段であり、蓋部２０と底部を備える保存物収納部２２と、蓋部２０から張り出し保存物収納部２２の開口部の周縁部と部分的に重なり合うように設けられた折曲可能な重合部２１と、遮熱素段２と遮熱手段２を収納する容器の内壁との間に対流空間を備えるようするための突出部２３とによって構成されている。
【００３３】
実施例１の遮熱手段１の場合は、遮熱効果が高いため、その内部に、収納する容器との間に対流空間を設けなくても、内部の温度変化を極めて小さく抑えることができる。しかし、容器の内部に収納する遮熱手段２の場合は、容器の内壁と接していると遮熱効率が低下するため、容器と遮熱手段２の間に対流空間を設けて、遮熱効果の低下を防いでいる。この対流空間の幅については、５ｍｍ〜１５ｍｍが望ましいが、用途に応じて、１５ｍｍ以上であってもよい。
【００３４】
図４には示されていないが、容器収納部２２の底面にも、蓋部２０や保存物収納部２２と同様に突出部が設けられている。
【実施例３】
【００３５】
図５ないし図６は本考案に係る遮熱容器の一実施形態を示すものであり、これらの図において、全体記号３で示すのは本考案を特徴づける遮熱容器である。
【００３６】
図５においてこれを簡単に説明すると、符号３は、温度変化によって変質しやすい物品を保存するための遮熱容器であり、保存物収納部３０と開閉可能に設けられた蓋部３２とによって構成されている。
【００３７】
図６は、図５に示す円３２の部分の断面図を拡大したものであり、外側表面部材３３と内側表面部材３４との間に、内側表面部材３４と接して、両面の高純度アルミ箔に３枚のポリエチレンシートと２枚のバブルポリエチレンシートとを交互に挟んだ７層からなり各シート間がプラズマ溶着されたシート材からなる遮熱層３６が設けられ、遮熱層３６と外側表面部材３３との間に、対流空間３５が設けられている。保存物収納部３０の壁面も同様の構造となっており、これにより遮熱容器３は、外部の温度変化や、電磁波による熱によって、内部の温度がほとんど変化しないようになっている。この対流空間３５の幅については、５ｍｍ〜１５ｍｍが望ましいが、用途に応じて、１５ｍｍ以上であってもよい。
【００３８】
なお、本考案は上述した実施の形態で説明した構造には限定されず、各部の形状、構造等を適宜変形、変更し得ることはいうまでもない。
例えば、遮熱手段１の容器収納部１２の内側に、対流空間を設けるための突出部を設けるものであってもよい。
【００３９】
また、遮熱容器３の遮熱層３６と内側表面部材３４との間に、対流空間を設けることで、より遮熱効果を高めることもできる。
【００４０】
さらに、遮熱手段１や遮熱手段２、そして遮熱容器３の形状は、筐体状に限定されるものではなく、筒状、袋状など様々な形状を取ることができる。勿論、これらに限定されないことも言うまでもない。
【産業上の利用可能性】
【００４１】
本考案の遮熱手段は、他の用途の保存用容器と併用されるだけでなく、単独でも保温容器として使用することができる。例えば、弁当や飲料などを携帯するさいにも使用することができる。これらもまた本考案の権利範囲である。
【００４２】
さらに、本考案の遮熱手段や遮熱容器は、湿度を吸湿または放湿する調湿紙や、保存物から放出される微量のガスを吸着する機能を持つガス吸着紙を備えるように構成すれば、熱や湿度以外の、湿度上昇を原因とするカビや、過剰な乾燥、そして微量のガスを原因とする劣化を防ぐことができるので、例えば紙資料など、吸湿または放湿している素材の保存に適した遮熱手段や遮熱容器として使用することができる。
【符号の説明】
【００４３】
１      外装用遮熱手段
１０    蓋部
１１    重合部
１２    容器収納部
１３    アルミ絶縁テープ
１４    面ファスナー
２      内装用遮熱手段
２０    蓋部
２１    重合部
２２    保存物収納部
２３    突出部
３      遮熱容器
３０    保存物収納部
３１    蓋部
３２    円
３３    外側表面部材
３４    内側表面部材
３５    対流区間
３６    遮熱層
【図１】
0003204450.tif 000003
【図２】
0003204450.tif 000004
【図３】
0003204450.tif 000005
【図４】
0003204450.tif 000006
【図５】
0003204450.tif 000007
【図６】
0003204450.tif 000008